(57)【要約】      （修正有）【課題】取り付けピッチの相違に対処することができる汎用性の高い太陽電池モジュールの取り付け具並びに該取り付け具を用いた取り付け方法を提供する。【解決手段】太陽電池モジュール５０を設置するための設置バー５１に、スライド可能かつ脱落不能に設けられる主把持部６０と、副把持部７０とを備えた太陽電池モジュール５０を固定するための取り付け具であって、主把持部６０のスライド溝として機能するスリットを介して離間された一対の搭載面５１ａと、搭載面と底面５１ｂと、側面５１ｃとによって画定される空間内に位置し、スリットに対して回り止めを有するボルトＢの螺子部が、搭載面を超え、主把持部６０を載置面にナットＮ１で固定すると共に、主把持部６０を挟んで設置バー５１に配置される太陽電池モジュール５０を副把持部７０でナットＮ２により固定する。【選択図】図１
2012177256.tif 000002
【特許請求の範囲】
【請求項１】
太陽電池モジュールを設置するための桟として機能する真直ぐに延びる長尺の設置バーに、スライド可能かつ脱落不能に設けられる主把持部と、該主把持部に螺着される副把持部とを備えた太陽電池モジュールを架台に固定するための取り付け具であって、
前記設置バーが、前記主把持部のスライド溝として機能する略Ｔ字溝を有し、当該Ｔ字溝は、スリットを介して離間された一対の搭載面と、当該搭載面と対向する底面と、当該搭載面と当該底面とを連結している側面とによって画定され、
前記副把持部が、前記底面と前記一対の搭載面と前記側面で画定される空間内に位置し、前記スリットを介して前記搭載面の外表面側への引き抜きが妨げられるスリットに対して回り止めを有するボルトの頭部から、当該ボルトの螺子部が前記スリットを介して前記搭載面の外表面を超え、さらに前記主把持部を貫通して当該ボルトが延びて、当該ボルトによって貫通され、当該ボルトとナットによって操作される操作領域と、当該操作領域から記設置バーの長手方向に沿って延びるアーム領域とを備え、
前記主把持部と、前記アーム領域との間で前記太陽電池モジュールのフレームを挟持してなることを特徴とする太陽電池モジュールを架台に固定するための取り付け具。
【請求項２】
前記主把持部が、前記一対の搭載面及び前記側面と当接する部材を含み、当該主把持部が、前記一対の搭載面を跨ぐ長さを有する板状又はドーム状を呈し、当該板状又はドーム状を呈した前記主把持部が前記搭載面を横断して前記搭載面の外表面と当接し、当該板状又はドーム状を呈した前記主把持部の両端に、前記側面に沿って前記底面側に延びる係止爪が形成され、
前記副把持部の操作領域が板状又はドーム状の断面形状を有し、前記主把持部を横断する方向に延びるように配設され、前記副把持部のアーム領域を当該操作領域の両端から前記設置バーの長さ方向に、前記太陽電池パネルを保持している枠体を把持できる長さだけ延びるように配設されるように前記ボルト及びナットによって前記主把持部に螺着されてなることを特徴とする請求項１記載の太陽電池モジュールを架台に固定するための取り付け具。
【請求項３】
前記主把持部の前記一対の搭載面及び前記側面と当接する基部と、当該基部から近位側に前記設置バーの長手方向に沿って延びる延長部を介して連結され、前記一対の搭載面の外表面と当接して前記スリットを介して前記底面側への引き込みが妨げられる大きさを有する顎部とを備え、当該延長部が前記スリット内に遊嵌され、
前記主把持部の延長部が前記二つの脚部のうちの一方から前記スリット内に前記設置バーの長さ方向に片持ち梁として延設された舌状部材であり、
前記主把持部の顎部が前記舌部材の自由端に一体的に接合された棒状体であり、当該棒状体が前記搭載面の外表面を横断する方向に延び、かつ前記搭載面の外表面と当接して、前記スリット内への引き込みが妨げられる長さを有してなることを特徴とする請求項１又は２記載のナットによって前記主ドーム状部材に螺着されてなることを特徴とする請求項１又は２記載の太陽電池モジュールを架台に固定するための取り付け具。
【請求項４】
請求項１及び２記載の太陽電池モジュールを架台に固定するための取り付け具を用いて太陽電池モジュールを架台に固定する方法であって、
（ａ）前記ボルトの頭部を前記底面と前記一対の搭載面と前記側面で画定される空間内に位置させ、当該空間から前記スリットを前記ボルトの螺子部を挿通して、前記搭載面の外表面を超えて延びるようにし、前記主把持部の基部に設けられた孔を貫通して延びる当該螺子部にナットを当該螺子部と螺合させないか、または緩めた状態で、前記主把持部の基部の係止爪と前記舌状部材との間に前記設置バーの前記一対の搭載面を嵌入して、太陽電池モジュールの大きさに従って要求される所定の位置まで、前記主把持部を前記一対の搭載面上をスライドさせる工程と、
（ｂ）前記工程（ａ）の後、前記ボルトの螺子部にナットを螺合し、締め付けて前記所定の位置で、前記主把持部を固定する工程と、
（ｃ）前記工程（ｂ）の後、前記ボルトの螺子部を前記副把持部の前記副ドーム状部材に設けられた孔に挿通し、前記副把持部のアーム領域と前記主保持部の顎部との間に太陽電池モジュールの枠体を位置せしめ、前記副ドーム状部材の孔から突出しているボルトの螺子部にさらにナットを螺合し、締め付ける工程と
を含んでなることを特徴とする太陽電池モジュールを架台に固定する方法。
【請求項５】
前記工程（ａ）において、前記主把持部から片持ち梁状に延設され、スリットから突出するように顎部を位置づける工程をさらに含む請求項４記載の太陽電池モジュールを架台に固定する方法。
【発明の詳細な説明】
【技術分野】
【０００１】
本発明は、汎用性と施工性に優れた高い太陽電池モジュールの取り付け具に関する。
【背景技術】
【０００２】
太陽電池パネルを屋根に設置するための装置及び方法は、例えば特許文献１に開示されている。
【０００３】
すなわち、特許文献１には、太陽電池パネルを支持する架台を構成している横断面形状が略Ｃ字状の桟（参照符号（１）によって特定されている）の長手方向に形成された溝内に角頭ボルトの頭部が挿入され、当該角頭ボルトのネジ部が前記桟の長手方向に形成された一対の互いに対向する片持ち梁状に支持された板状体間の開口を介して外に突出しており、この突出した角頭ボルトのネジ部に、ナットを螺着することによって締め付け、押さえ金具を下方に押圧することで太陽電池パネルの枠体を固定する装置及び方法が開示されている。
【０００４】
しかし、特許文献１に開示された桟は、構造が複雑で、そのうえ長尺物が使用されているため、コストが高くなるという問題がある。さらに、太陽電池パネルを桟に設置するためには、前述の角頭ボルトの頭部を桟の溝内に挿入して、押さえ金具と角頭ボルトとで、太陽電池パネルの底部外側面より突設するＬ字状の縁部を係止しているが、このＬ字状の縁部が薄肉のため強度的に充分ではないという問題がある。さらに、特許文献１では、前述のとおり、当該角頭ボルトのネジ部が前記桟の長手方向に形成された一対の互いに対向する片持ち梁状に支持された板状体間の開口を介して外に突出している。したがって、桟の長さ方向に角頭ボルトを溝内で移動させると、当該角頭ボルトは揺動しがちであり、滑らか移動できなかったり、場合によっては、移動不能状態になるという問題がある。
さらに、特許文献１に開示された桟は、金属板（参照符号（３）によって示される）の専用部品であるため、汎用性がないという問題がある。
【０００５】
一方、特許文献２には、図６に示されるように、ブラケット（ｃ）が、太陽電池モジュール（ｅ）の固定方法を従来タイプのボルト結合方式から施工性に優れる押さえ込み方式に変換し、かつ押さえ込み方式を採用したものが開示されている。
【０００６】
また、特許文献２では、太陽電池モジュール（ｅ）を支持するための架台（ａ）は規格材のものを使用できるとし、太陽電池モジュール（ｅ）の枠も裏面にボルト（Ｂ）の挿通孔が穿設された一般的な構造を利用している。
しかし、特許文献２では、太陽電池モジュール（ｅ）の固定金具（１９）と架台（ａ）の接続ために、架台（ａ）にボルト（Ｂ）の挿通孔を開けることを前提としており、接続金具（ｂ）の搭載面と架台（ａ）の接続のためにも、接続金具に対応した孔を架台（ａ）に設けている。
【０００７】
ところで、太陽電池モジュールの大きさは、その枠体（例えば、特許文献３参照）までを含めると、太陽電池モジュールの製造業者間で統一されていないという実情がある。しかし、特許文献２では、前述のとおり、太陽電池モジュールの固定金具と架台の接続ために、架台にボルト穴が開けることを前提とし、また接続金具の搭載面と架台の接続のためにも、接続金具に対応した孔を架台に設けているので、太陽電池モジュールの製造業者における取り付けピッチの相違に対処することができないという問題がある。
【０００８】
特許文献３の太陽電池パネル（１）は、矩形板状のパネル本体（２）と、このパネル本体（２）を保持するフレーム（３）とを備えている。フレーム（３）は、パネル本体（２）の横方向の縁部（２ａ）を受ける一対の横枠材（４）と、パネル本体（２）の縦方向の縁部（２ｂ）を受ける一対の縦枠材（５）と、これら縦横両枠材（４）、（５）の端部をパネル本体（２）の四隅位置で相互に結合する接続部材（６）とを備えている。
【０００９】
そして、横枠材（４）は、保持するパネル本体（２）の縁部（２ａ）に沿うために真っ直ぐに延びた長尺を成し、パネル面に垂直に配置される支持板（７）と、支持板（７）の上端部から内方へ水平にそれぞれ延出して上下に対向する、長手方向に支持板（７）と共に連続した一対の保持片（８）、（９）と、下側の保持片（９）の先端から支持板（７）と平行に垂下する、長手方向に支持板（７）と共に連続した垂直片（１０）と、支持板（７）の下部から内方へ水平に延出して垂直片（１０）の下端に結合する、長手方向に支持板（７）と共に連続した水平片（１１）と、支持板（７）の下端から内方へ水平に延出して水平片（１１）に対向する、長手方向に支持板（７）と共に連続したリブ（１２）とを備えている。支持板（７）と保持片（８）、（９）とが、パネル本体（２）の縁部（２ａ）を受け入れるように側方に開口した断面略コ字状の嵌合凹部（１３）を構成する。支持板（７）と保持片（９）と垂直片（１０）と水平片（１１）とが、断面矩形の嵌合筒部（１４）を構成する。垂直片（１０）と水平片（１１）とが、嵌合筒部（１４）の内部空間を閉じる閉塞板を構成する。
【００１０】
縦枠材５は、パネル本体（２）の縦方向の縁部（２ｂ）を保持するように、横枠材（４）とほぼ同様に、支持板（７）、保持片（８）、（９）、垂直片（１０）、水平片（１１）及びリブ（１２）を備えている。支持板（７）と、保持片（８）と、保持片（９）とが、パネル本体（２）の縁部（２ｂ）を受け入れるように側方に開口した断面略コ字状の嵌合凹部（１３）を構成し、支持板（７）と保持片（９）と垂直片（１０）と水平片（１１）とが、断面矩形の嵌合筒部（１４）を構成する。垂直片（１０）と水平片（１１）とが、嵌合筒部（１４）の内部空間を閉じる閉塞板を構成する。縦枠材（５）のリブ（１２）が、建物の屋根等に設置するときに取付部材に固定するために、横枠材（４）よりも大きい厚さを有しつつ長く延出しており、垂直片（１０）が結合されている。
【先行技術文献】
【特許文献】
【００１１】
【特許文献１】特開平１１−２４７３８７号公報
【特許文献２】特開２０１０−２４８７６３号公報
【特許文献３】特開２０１０−２７０５４７号公報
【発明の概要】
【発明が解決しようとする課題】
【００１２】
本発明は、上述の従来技術の問題点を解消し、桟の長さ方向に形成された溝内を滑らかに移動することができる太陽電池モジュールの取り付け具並びに該取り付け具を用いた取り付け方法を提供し、かつ太陽電池モジュールの製造業者における取り付けピッチの相違に対処することができる汎用性の高い太陽電池モジュールの取り付け具並びに該取り付け具を用いた取り付け方法を提供することを目的とする。
【課題を解決するための手段】
【００１３】
本発明の請求項１は、太陽電池モジュールを設置するための桟として機能する真直ぐに延びる長尺の設置バーに、スライド可能かつ脱落不能に設けられる主把持部と、該主把持部に螺着される副把持部とを備えた太陽電池モジュールを架台に固定するための取り付け具であって、
前記設置バーが、前記主把持部のスライド溝として機能する略Ｔ字溝を有し、当該Ｔ字溝は、スリットを介して離間された一対の搭載面と、当該搭載面と対向する底面と、当該搭載面と当該底面とを連結している側面とによって画定され、
前記副把持部が、前記底面と前記一対の搭載面と前記側面で画定される空間内に位置し、前記スリットを介して前記搭載面の外表面側への引き抜きが妨げられるスリットに対して回り止めを有するボルトの頭部から、当該ボルトの螺子部が前記スリットを介して前記搭載面の外表面を超え、さらに前記主把持部を貫通して当該ボルトが延びて、当該ボルトによって貫通され、当該ボルトとナットによって操作される操作領域と、当該操作領域から記設置バーの長手方向に沿って延びるアーム領域とを備え、
前記主把持部と、前記アーム領域との間で前記太陽電池モジュールのフレームを挟持してなることを特徴とする太陽電池モジュールを架台に固定するための取り付け具に関する。
【００１４】
本発明の請求項２は、前記主把持部が、前記一対の搭載面及び前記側面と当接する部材を含み、当該主把持部が、前記一対の搭載面を跨ぐ長さを有する板状又はドーム状を呈し、当該板状又はドーム状を呈した前記主把持部が前記搭載面を横断して前記搭載面の外表面と当接し、当該板状又はドーム状を呈した前記主把持部の両端に、前記側面に沿って前記底面側に延びる係止爪が形成され、
前記副把持部の操作領域が板状又はドーム状の断面形状を有し、前記主把持部を横断する方向に延びるように配設され、前記副把持部のアーム領域を当該操作領域の両端から前記設置バーの長さ方向に、前記太陽電池パネルを保持している枠体を把持できる長さだけ延びるように配設されるように前記ボルト及びナットによって前記主把持部に螺着されてなることを特徴とする請求項１記載の太陽電池モジュールを架台に固定するための取り付け具に関する。
本発明の請求項３は、前記主把持部の前記一対の搭載面及び前記側面と当接する基部と、当該基部から近位側に前記設置バーの長手方向に沿って延びる延長部を介して連結され、前記一対の搭載面の外表面と当接して前記スリットを介して前記底面側への引き込みが妨げられる大きさを有する顎部とを備え、当該延長部が前記スリット内に遊嵌され、
前記主把持部の延長部が前記二つの脚部のうちの一方から前記スリット内に前記設置バーの長さ方向に片持ち梁として延設された舌状部材であり、
前記主把持部の顎部が前記舌部材の自由端に一体的に接合された棒状体であり、当該棒状体が前記搭載面の外表面を横断する方向に延び、かつ前記搭載面の外表面と当接して、前記スリット内への引き込みが妨げられる長さを有してなることを特徴とする請求項１又は２記載のナットによって前記主ドーム状部材に螺着されてなることを特徴とする請求項１記載の太陽電池モジュールを架台に固定するための取り付け具に関する。
すなわち、本発明において、主把持部とは、太陽電池モジュールを設置するための架台に配設された設置バーの一対の搭載面及び側面と当接する部材としての機能（すなわち、基部）だけを有するものと、当該基部に加えて、当該基部から近位側に前記設置バーの長手方向に沿って延びる延長部を介して連結され、前記一対の搭載面の外表面と当接して前記スリットを介して前記底面側への引き込みが妨げられる大きさを有する顎部とを備えるものを含む概念である。
【００１５】
本発明の請求項４は、請求項１及び２記載の太陽電池モジュールを架台に固定するための取り付け具を用いて太陽電池モジュールを架台に固定する方法であって、
（ａ）前記ボルトの頭部を前記底面と前記一対の搭載面と前記側面で画定される空間内に位置させ、当該空間から前記スリットを前記ボルトの螺子部を挿通して、前記搭載面の外表面を超えて延びるようにし、前記主把持部の基部に設けられた孔を貫通して延びる当該螺子部にナットを当該螺子部と螺合させないか、または緩めた状態で、前記主把持部の基部の係止爪と前記舌状部材との間に前記設置バーの前記一対の搭載面を嵌入して、太陽電池モジュールの大きさに従って要求される所定の位置まで、前記主把持部を前記一対の搭載面上をスライドさせる工程と、
（ｂ）前記工程（ａ）の後、前記ボルトの螺子部にナットを螺合し、締め付けて前記所定の位置で、前記主把持部を固定する工程と、
（ｃ）前記工程（ｂ）の後、前記ボルトの螺子部を前記副把持部の前記副ドーム状部材に設けられた孔に挿通し、前記副把持部のアーム領域と前記主保持部の基部との間に太陽電池モジュールの枠体を位置せしめ、前記副ドーム状部材の孔から突出しているボルトの螺子部にさらにナットを螺合し、締め付ける工程と
を含んでなることを特徴とする太陽電池モジュールを架台に固定する方法に関する。
本発明の請求項５は、前記工程（ａ）において、前記主把持部から片持ち梁状に延設され、スリットから突出するように顎部を位置づける工程をさらに含む請求項４記載の太陽電池モジュールを架台に固定するための取り付け具を用いて太陽電池モジュールを架台に固定する方法に関する。
【発明の効果】
【００１６】
本発明の請求項１〜４に係る陽電池モジュールを架台に固定するための取り付け具及び請求項３に係る太陽電池モジュールを架台に固定する方法によれば、太陽電池モジュールを設置するための桟として機能する真直ぐに延びる長尺の設置バーに、スライド可能かつ脱落不能に設けられる主把持部と、該主把持部に螺着される副把持部とを備えた太陽電池モジュールを架台に固定するための取り付け具であって、
前記設置バーが、前記主把持部のスライド溝として機能する略Ｔ字溝を有し、当該Ｔ字溝は、スリットを介して離間された一対の搭載面と、当該搭載面と対向する底面と、当該搭載面と当該底面とを連結している側面とによって画定され、
前記副把持部が、前記底面と前記一対の搭載面と前記側面で画定される空間内に位置し、前記スリットを介して前記搭載面の外表面側への引き抜きが妨げられるスリットに対して回り止めを有するボルトの頭部から、当該ボルトの螺子部が前記スリットを介して前記搭載面の外表面を超え、さらに前記主把持部を貫通して当該ボルトが延びて、当該ボルトによって貫通され、当該ボルトとナットによって操作される操作領域と、当該操作領域から記設置バーの長手方向に沿って延びるアーム領域とを備え、
前記主把持部と、前記アーム領域との間で前記太陽電池モジュールのフレームを挟持してなる構成を有しているので、桟の長さ方向に形成された溝内を滑らかに移動することができる太陽電池モジュールの取り付け具並びに該取り付け具を用いた取り付け方法を提供し、かつ太陽電池モジュールの製造業者における取り付けピッチの相違に対処することができる汎用性の高い太陽電池モジュールの取り付け具並びに該取り付け具を用いた取り付け方法を提供することができる。
本発明の請求項５にかかる発明は、請求項４の工程（ａ）において、前記主把持部から片持ち梁状に延設され、スリットから突出するように顎部を位置づける工程をさらに含むので、太陽電池モジュールの架台への設置時の仮置き、設置バーに対する所定の位置からのズレ止めや、落下止めを達成することができる。
【図面の簡単な説明】
【００１７】
【図１】本発明の一実施形態にかかる取り付け具によって太陽電池モジュールが桟に取り付けられた状態を示す説明図である。
【図２】図２の（ａ）は図１の取り付け具を示す分解斜視図、図２の（ｂ）〜（ｇ）は図１の取付具の変形例を示す説明図である。
【図３】図１の取り付け具の副把持部によって太陽電池モジュールが把持された状態を示す説明図である。
【図４】本実施形態の取り付け具によって太陽電池モジュールが設置される架台の説明図である。
【図５】本発明の一実施形態にかかる取り付け具による利点を示す図である。
【図６】従来の太陽電池モジュールの取り付け具を示す説明図である。
【図７】従来の太陽電池モジュールを保持する枠体を示す説明図である。
【発明を実施するための形態】
【００１８】
太陽電池モジュールの取り付け具について添付図面を参照しながら説明する。
図１は本発明の一実施形態にかかる取り付け具によって太陽電池モジュールが桟に取り付けられた状態を示す説明図である。図２の（ａ）は図１の取り付け具を示す分解斜視図、図２の（ｂ）〜（ｇ）は図１の取付具の変形例を示す説明図である。
図１の取り付け具を示す分解斜視図である。図３は図１の取り付け具の副把持部によって太陽電池モジュールが把持された状態を示す説明図である。図４は本実施形態の取り付け具によって太陽電池モジュールが設置される架台の説明図である。図５は本発明の一実施形態にかかる取り付け具による利点を示す図である。
【００１９】
図１〜４を参照すると、参照符号（４０）は太陽電池モジュールを設置するための架台を示している。参照符号（５０）は太陽電池モジュールを示している。参照符号（５１）は架台（４０）を構成する縦方向に配設される桟を示している。参照符号（５１ａ）は桟（５１）を構成する一対の太陽電池モジュールとの搭載面を示している。参照符号（５１ｂ）は桟（５１）を構成している底面を示している。参照符号（５１ｃ）は桟（５１）を構成している側面を示している。参照符号（ＳＬ）は一対の太陽電池搭載面（５１ａ）同士の間に形成されたスリットを示している。参照符号（６０）は本発明の取り付け具を構成している主把持部を示している。参照符号（６１ａ）は主把持部（６１）を構成している主ドーム状部材を示している。参照符号（６１ｂ）は搭載面（５１ａ）と当接する脚部を示している。参照符号（６１ｃ）は二つの脚部（６１ｂ）の両端に、前記側面（５１ｃ）に沿って前記底面（５１ｂ）側に延びる係止爪を示している。参照符号（６１ｄ）は前記主把持部（６０）の延長部として機能する、前記二つの脚部（６１ｂ）のうちの一方から前記スリット（ＳＬ）内に前記設置バー（５１）の長さ方向に片持ち梁として延設された舌状部材を示している。参照符号（６１ｅ）は前記主把持部（６０）の顎部として機能する、前記舌部材（６１ｄ）の自由端に一体的に接合された棒状体を示している。参照符号（７０）は本発明の取り付け具を構成している副把持部を示している。参照符号（７１ａ）は前記副把持部（７０）の操作領域として機能する、略Ｕ字状の断面形状を有し、前記主把持部（６０）の前記ドーム状部材（６１ａ）を横断する方向に延びるように配設される副ドーム状部材を示している。参照符号（７１ｂ）は操作領域（７１ａ）から設置バー（５１）の長手方向に沿って延びるアーム領域を示し、参照符号（７１ｂ’）及び（７１ｂ’’）はアーム領域（７１ｂ）の変形例を示している。参照符号（６１ｂ）は、前記副把持部（７０）のアーム領域を示している。参照符号（Ｂ）はナット（Ｎ１）と相俟って主把持部（６０）を設置バー（５１）に固定すると共に、さらにナット（Ｎ２）と相俟って副把持部（７０）を主把持部（６０）に螺着し、かつ太陽電池モジュール（５０）の枠体（５０Ｆ）を挟着する挟着力を与えるボルトを示している。
【００２０】
ここで再び図１〜４を参照すると、本実施形態の太陽電池モジュール（５０）を設置するための取り付け具は、架台（４０）を構成する縦方向に配設される桟として機能する真直ぐに延びる長尺の設置バー（５１）に、スライド可能かつ脱落不能に設けられる主把持部（６０）と、該主把持部（６０）にボルト（Ｂ）によって螺着される副把持部（７０）とを備えている。本実施形態において、主把持部（６０）及び副把持部（７０）の素材として、特定の素材に限定されることはなく、例えば素材として機械的強度及び耐食性に優れていれば、如何なるもの（例えば、合成樹脂、木材、鉄、アルミニウムなど）も採用することができる。
【００２１】
前記設置バー（５１）は、前記主把持部（６０）のスライド溝として機能する略Ｔ字溝を有しおり、当該Ｔ字溝は、スリット（ＳＬ）を介して離間された一対の搭載面（５１ａ）と、当該搭載面（５１ａ）と対向する底面（５１ｂ）と、当該搭載面（５１ａ）と当該底面（５１ｂ）とを連結している側面（５１ｃ）とによって画定されている。
【００２２】
本実施形態においては、前記主把持部（６０）は、前記一対の搭載面（５１ａ）及び前記側面（５１ｂ）と当接する基部（６１ａ）と、当該基部（６１ａ）から近位側に前記設置バー（５１）の長手方向に沿って延びる延長部（６１ｄ）を介して連結され、前記一対の搭載面（５１ａ）の外表面と当接して前記スリット（ＳＬ）を介して前記底面（５１ｂ）側への引き込みが妨げられる大きさを有する顎部（６１ｅ）とを備えている。当該延長部（６１ｄ）は前記スリット（ＳＬ）内に遊嵌されている。しかしながら、本発明において、延長部（６１ｄ）及び当該延長部（６１ｄ）に連結された顎部（６１ｅ）は必須ではない。言い換えれば、図２の（ｂ）および（ｃ）に示されるように延長部も顎部もないものであってもよい。すなわち、前述のとおり、本発明において、主把持部（６０）とは、太陽電池モジュール（５０）を設置するための架台（４０）に配設された設置バー（５１）の一対の搭載面（５１ａ）及び側面（５１ｃ）と当接する部材としての機能（すなわち、基部（６１ａ）だけを有するものと、当該基部（６１ａ）に加えて、当該基部（６１ａ）から近位側（図４における下部補強材（Ａ１）側）に前記設置バー（５１）の長手方向に沿って延びる延長部（６１ｄ）を介して連結され、前記一対の搭載面（５１ａ）の外表面と当接して前記スリット（ＳＬ）を介して前記底面側（５１ｂ）への引き込みが妨げられる大きさを有する顎部（６１ｅ）とを備えるものを含む概念である。
【００２３】
前記副把持部（７０）は、前記底面（５１ｂ）と前記一対の搭載面（５１ａ）と前記側面（５１ｂ）で画定される空間内に位置しており、前記スリット（ＳＬ）を介して前記一対の搭載面（５１ａ）の外表面側への引き抜きが妨げられるスリットに対して回り止めを有するボルトボルト（Ｂ）の頭部（Ｂ１）から、当該ボルト（Ｂ）の螺子部（Ｂ２）が前記スリットを介して前記搭載面の外表面を超え、さらに前記基部（６１ａ）を貫通してボルト（Ｂ）が延び、当該ボルト（Ｂ）によって貫通され、当該ボルト（Ｂ）とナット（Ｎ１、Ｎ２）によって操作される操作領域（７１ａ）と、当該操作領域（７１ａ）から設置バー（５１）の長手方向に沿って延びるアーム領域（７１ｂ）とを備えている。
【００２４】
そして、顎部（６１ｅ）と、アーム領域（７１ｂ）との間で前記太陽電池モジュール（５０）のフレーム（５０Ｆ）が挟持される。
【００２５】
図１及び２を参照すると、本実施形態では、前記主把持部（６０）の基部（６１ａ）は略逆Ｕ字状の断面形状を有している。そして基部（６１ａ）は前記一対の搭載面（５１ａ）を跨ぐ長さを有する主ドーム状部材である。しかし、本発明において基部（６１ａ）はドーム状の形態に限られることはなく、例えば図２の（ｂ）及び（ｃ）に示されるような板状体の他、ブロック状の形態など当業者に自明な修正、変形、変更は本発明の技術的範囲に含まれることは言うまでもない。
繰り返し説明するが、本発明において主把持部とは、板状体、ブロック状の形態或いはドーム状部材からなる基部のみから構成されるものと、当該基部に延長部を介して顎部を有するものを含む概念である。
当該主ドーム状部材である基部（６１ａ）は前記搭載面（５１ａ）を横断して外表面と当接する二つの脚部（６１ｂ）を有し、当該二つの脚部（６１ｂ）の両端に、前記側面（５１ｂ）に沿って前記底面（５１ｂ）側に延びる係止爪（６１ｃ）が形成されている。
【００２６】
前記主把持部（６０）の延長部（６１ｄ）は前記二つの脚部（６１ｂ）のうちの一方から前記スリット（ＳＬ）内に前記設置バー（５１）の長さ方向に片持ち梁として延設された舌状部材である。
【００２７】
前記主把持部（６０）の顎部（６１ｅ）は、前記舌部材（６１ｄ）の自由端に一体的に接合された棒状体である。棒状体である顎部（６１ｅ）は前記搭載面（５１ａ）の外表面を横断する方向に延び、かつ前記搭載面（５１ａ）の外表面と当接して、前記スリット（Ｓｌ）内への引き込みが妨げられる長さを有している。
【００２８】
前記副把持部（７０）の操作領域（７１ａ）は略Ｕ字状の断面形状を有しており、前記主把持部（６０）の前記ドーム状部材（６１ａ）を横断する方向に延びるように配設される副ドーム状部材である。
【００２９】
前記副把持部（７０）のアーム領域（７１ｂ）を当該副ドーム状部材（すなわち、操作領域）（７１ａ）の両端から前記設置バー（５１）の長さ方向に、前記太陽電池パネル（５０）を保持している枠体（５０Ｆ）を把持できる長さだけ延びるように配設されるように前記ボルト（Ｂ）及びナット（Ｎ２）を操作することによって前記主ドーム状部材（６０）に螺着され、主把持部（６０）の基部（６０ａ）及び顎部（６１ｅ）と、アーム領域（７１ｂ）との間で前記太陽電池モジュール（５０）のフレーム（５０Ｆ）が強く挟持される。ここで、図２の（ｄ）、（ｅ）、（ｆ）及び（ｇ）を参照する。副把持部（７０）のアーム領域の形状は、図２の（ｄ）及び（ｅ）の参照符号（７０ｂ）によって示される部位のように、水平方向に真っ直ぐに延びたものに限られることはない。例えば、図２の（ｆ）のように、自由端に近づくに従って、アーム領域（７０ｂ’）の幅が厚肉になるもの、図２の（ｇ）のように、アーム領域（７０ｂ’’）の自由端が斜め下向きに延びたものなど、把持力を改善するために当業者に自明な修正、変形、変更は本発明の技術的範囲に含まれる。
【００３０】
ここで、再び図１〜４を参照すると、太陽電池モジュール（５０）を架台（４０）に上述の取り付け具を用いて固定する方法の最大の特徴は、以下の（ａ）〜（ｃ）を含んでいることである。なお、限定されることはないが、本実施形態の太陽電池モジュール取付具を設置するための架台（４０）の一例を図４に示す。図４において、紙面左下に示される下部補強部材（Ａ１）側を近位側とし、下部補強部材（Ａ１）から紙面の斜め左上方に延びる２本の互いに平行に配設された二本の設置バー（５１）のエンドキャップ（５１ｄ）側を遠位側とする。そして、当該二本の設置バー（５１）は、脚部（Ａ２）によって支持されている。
【００３１】
工程（ａ）において、前記ボルト（Ｂ）の頭部（Ｂ１）を前記設置バー（５１）の底面（５１ｂ）と前記一対の搭載面（５１ａ）と前記側面（５１ｃ）で画定される空間内に位置させ、当該空間から前記スリット（ＳＬ）を前記ボルト（Ｂ）の螺子部（Ｂ２）を挿通して、前記搭載面（５１ａ）の外表面を超えて延びるようにし、基部（６１ａ）に設けられた孔（Ｈ１）を貫通せしめて、当該螺子部（Ｂ２）にナット（Ｎ１）を当該螺子部（Ｂ１）と螺合させないか、あるいはナット（Ｎ１）を緩めた状態で、前記主把持部（６０）の基部（６１ａ）の係止爪（６１ｃ）と前記舌状部材（すなわち、延長部）（６１ｄ）との間に前記設置バー（５１）の前記一対の搭載面（５１ａ）を嵌入して、太陽電池モジュール（５０）の大きさに従って要求される所定の位置まで、前記主把持部（６０）を前記一対の搭載面（５１ａ）上をスライドさせる。当該工程（ａ）において、主把持部（６０）から片持ち梁状に延設され、スリット（ＳＬ）から突出するように顎部（６１ｅ）を位置づける工程をさらに含むことが好ましい。この工程により、太陽電池モジュール（５０）の架台（４０）への設置時の仮置き、設置バー（５１）に対する所定の位置からのズレ止めや、落下止めを達成することができるという利点がある。
【００３２】
工程（ｂ）において、前記工程（ａ）の後、前記ボルト（Ｂ）の螺子部（Ｂ２）にナット（Ｎ１）を螺合し、締め付けて前記所定の位置で、前記主把持部（６０）を固定する。
【００３３】
工程（ｃ）において、前記工程（ｂ）の後、前記ボルト（Ｂ）の螺子部（Ｂ２）を前記副把持部（７０）の前記副ドーム状部材（７１ａ）に設けられた孔（Ｈ２）に挿通し、前記副把持部（７０）のアーム領域（７１ａ）と前記主保持部（６０）の顎部（６１ｅ）との間に太陽電池モジュール（５０）の枠体（５０Ｆ）を位置せしめ、前記副ドーム状部材（７１ａ）の孔（Ｈ２）から突出しているボルト（Ｂ）の螺子部（Ｂ２）にさらにナット（Ｎ２）を螺合し、締め付ける。
【００３４】
本発明によれば、設置バー（桟）（５１）の長さ方向に形成された溝内を主把持部（６０）が滑らかに移動することができるので、図５に示すように、ピッチの異なる太陽電池モジュール（５０）にも容易に対処することができる（太陽電池モジュールの幅（Ｗ）及び高さ（Ｈ）を問わず設置バーに太陽電池モジュールを設置することができる）汎用性の高い取り付け具並びに該取り付け具を用いた取り付け方法を提供することができる。
【符号の説明】
【００３５】
４０          架台
５０          太陽電池モジュール
５１          桟（設置バー）
５１ａ        搭載面
５１ｂ        底面
５１ｃ        側面
６０          主把持部
６１ａ        主ドーム状部材（基部）
６１ｂ        脚部
６１ｃ        係止爪
６１ｄ        延長部（舌状部材）
６１ｅ        顎部（棒状体）
７０          副把持部
７１ａ        操作領域（副ドーム状部材）
７１ｂ、７１ｂ’、７１ｂ’’      アーム領域
【図１】
2012177256.tif 000003
【図２】
2012177256.tif 000004
【図３】
2012177256.tif 000005
【図４】
2012177256.tif 000006
【図５】
2012177256.tif 000007
【図６】
2012177256.tif 000008
【図７】
2012177256.tif 000009